(57)【要約】【課題】    本考案の目的は、耐久性に優れた防獣ネットを提供するものである。【解決手段】    防獣ネットＮは、第１の柱１と第２の支柱２とで支持された吊りロープ３に張られた網地のネット１０で、小動物、獣の侵入を防止する防獣ネットＮであって、網地のネット１０は、最上段部の網地１０１、最下段部の網地１０２、最上段部の網地１０１から最下段部の網地１０２にかけて設けられた中間部の編地１０３を有し、網地のネット１０の内、吊りロープ３に係止する最上段部の網地１０１の耐クリープ性を最上段部の網地１０１を除く他の段部の網地１０２、１０３の耐クリープ性より強く形成するものである。【選択図】図１
0003189844.tif 000002
【実用新案登録請求の範囲】
【請求項１】
第１の柱と第２の支柱とで支持された吊りロープに張られた網地のネットで、小動物、獣の侵入を防止する防獣ネットであって、
前記網地のネットは、最上段部の網地、最下段部の網地、前記最上段部の網地から前記最下段部の網地にかけて設けられた中間部の編地を有し、
前記網地のネットの内、前記吊りロープに係止する前記最上段部の網地の耐クリープ性を前記最上段部の網地を除く他の段部の網地の耐クリープ性より強く形成する
ことを特徴とする防獣ネット。
【請求項２】
第１の柱と第２の支柱とで支持された吊りロープに張られた網地のネットで、小動物、獣の侵入を防止する防獣ネットであって、
前記網地のネットは、最上段部の網地、最下段部の網地、前記最上段部の網地から前記最下段部の網地にかけて設けられた中間部の編地を有し、
前記網地のネットの内、前記最下段部の網地は下部ロープに係止し、前記中間部の編地は前記第１の柱と前記第２の支柱とで支持された中間ロープに係止し、
前記網地のネットの内、前記吊りロープに係止する最上段部の網地の耐クリープ性を前記最上段部の網地を除く他の段部の網地の耐クリープ性より強く形成する
ことを特徴とする防獣ネット。
【請求項３】
最上段部の網地は、エステル結合又はアミド結合又は側鎖を持ったポリオレフィン結合を有した化学繊維で形成され、
前記最上段部の網地を除く他の段部の網地は、ポリエチレンで形成されている
ことを特徴とする請求項１又は請求項２記載の防獣ネット。
【考案の詳細な説明】
【技術分野】
【０００１】
本考案は、防獣ネットに係り、特に、耐久性に優れた防獣ネットに関する。
【背景技術】
【０００２】
小動物、獣の侵入を防止するものとして、防獣ネットがある。この防獣ネットは、第１の柱と第２の支柱とで支持された吊りロープに張られている。防獣ネットの網地は、例えば、素材が安価で、軽量なため、ポリエチレンが使用されている。
【考案の概要】
【考案が解決しようとする課題】
【０００３】
ところが、上記防獣ネットの網地の素材として使用されているポリエチレンは、クリープ性が弱く、網地のネットに凍った雪が付着し、特に、融雪時に融解と凝固を繰り返し、付着した雪が塊となって雪の荷重が網地にかかり、最上段部の網地が破断するという問題点があった。
【０００４】
本考案は、上記の問題点を除去するようにした耐久性に優れた防獣ネットを提供することを目的とする。
【課題を解決するための手段】
【０００５】
請求項１記載の防獣ネットは、第１の柱と第２の支柱とで支持された吊りロープに張られた網地のネットで、小動物、獣の侵入を防止する防獣ネットであって、前記網地のネットは、最上段部の網地、最下段部の網地、前記最上段部の網地から前記最下段部の網地にかけて設けられた中間部の編地を有し、前記網地のネットの内、前記吊りロープに係止する前記最上段部の網地の耐クリープ性を前記最上段部の網地を除く他の段部の網地の耐クリープ性より強く形成するするものである。
【０００６】
また、請求項２記載の防獣ネットは、第１の柱と第２の支柱とで支持された吊りロープに張られた網地のネットで、小動物、獣の侵入を防止する防獣ネットであって、前記網地のネットは、最上段部の網地、最下段部の網地、前記最上段部の網地から前記最下段部の網地にかけて設けられた中間部の編地を有し、前記網地のネットの内、前記最下段部の網地は下部ロープに係止し、前記中間部の編地は前記第１の柱と前記第２の支柱とで支持された中間ロープに係止し、前記網地のネットの内、前記吊りロープに係止する最上段部の網地の耐クリープ性を前記最上段部の網地を除く他の段部の網地の耐クリープ性より強く形成するものである。
【０００７】
また、請求項３記載の防獣ネットは、請求項１又は請求項２記載の防獣ネットにおいて、最上段部の網地は、エステル結合又はアミド結合又は側鎖を持ったポリオレフィン結合を有した化学繊維で形成され、前記最上段部の網地を除く他の段部の網地は、ポリエチレンで形成されているものである。
【考案の効果】
【０００８】
請求項１記載の防獣ネットによれば、網地のネットに凍った雪が付着し、雪の荷重がかっても、網地のネットの内、吊りロープに係止する最上段部の網地の耐クリープ性を前記最上段部の網地を除く他の段部の網地の耐クリープ性より強く形成するため、クリープ変形を抑制し、最上段部の網地の切断が防止され、耐久性に優れた防獣ネットを提供することができる。
【０００９】
また、請求項２記載の防獣ネットによれば、網地のネットに凍った雪が付着し、雪の荷重がかっても、網地のネットの内、吊りロープに係止する最上段部の網地の耐クリープ性を前記最上段部の網地を除く他の段部の網地の耐クリープ性より強く形成するため、クリープ変形を抑制し、最上段部の網地の切断が防止され、耐久性に優れた防獣ネットを提供するができ、また、網地のネットの内、最上段部の網地と最下段部の網地のとの間に位置する網地に係止される中間ロープを有しているため、中間ロープより下の網地のネットに付着した凍った雪の荷重を中間ロープで受けることができ、その分、最上段部の網地への荷重の負担を軽減化することができ、耐久性に優れた防獣ネットＮを提供することができる。
【図面の簡単な説明】
【００１０】
【図１】図１は、本考案の一実施例の防獣ネットの概略的正面図である。
【図２】図２は、図１の防獣ネットと異なる他の実施例の防獣ネットの概略的正面図である。
【図３】図３は、図２の防獣ネットと異なる他の実施例の防獣ネットの概略的正面図である。
【図４】図４は、図３の防獣ネットの一部を拡大して示す概略的一部拡大正面図である。
【考案を実施するための形態】
【００１１】
本考案の一実施例の防獣ネットを図面を参照して説明する。
図１に示すＮは防獣ネットで、防獣ネットＮは、地Ｇ中に打ち込まれた第１の柱１と第２の支柱２とで支持された吊りロープ３に張られた網地のネット１０で、小動物、獣の侵入を防止するものである。
なお、防獣ネットＮは、紐、番線等の結束部材５、６により第１の柱１に、紐、番線等の結束部材７、８により第２の柱２に、それぞれ支持され、また、望ましくは、第１の柱１と第２の支柱２との間に吊りロープ３（吊りロープ３の径は、例えば、６ｍｍ〜１０ｍｍ）とは別の吊りロープ３’(例えば、図３及び図４記載のワイヤー３’）を張って、吊りロープ３’（図３及び図４参照）に吊りロープ３を適宜の間隔で紐等により結束するのが良い。
【００１２】
網地のネット１０は、例えば、高さ１ｍ〜２．５ｍ  、幅５０ｍ〜３００ｍ、目合い２０〜１５０ｍｍの菱目状の無結節網で形成され、最上段部の網地１０１、最下段部の網地１０２、最上段部の網地１０１から最下段部の網地１０２にかけて設けられた中間部の編地１０３を有している。
そして、最上段部の網地１０１の網目の山の頂部が吊りロープ３に係止するようになっている。最上段部の網地１０１は、例えば、エステル結合又はアミド結合又は側鎖を持ったポリオレフィン結合を有した化学繊維で形成され、より具体的には、ポリエステルを複数撚り合わせたもの（撚り合わせたポリエステルの径は、例えば３ｍｍ〜３．５ｍｍ）である。
また、最下段部の網地１０２、中間部の編地１０３は、具体的には、ポリエチレンを複数撚り合わせたもの（撚り合わせたポリエチレンの径は、例えば２ｍｍ〜２．５ｍｍ）である。
【００１３】
つまり、網地のネット１０の内、吊りロープ３に係止する最上段部の網地１０１の耐クリープ性を最上段部の網地１０１を除く他の段部の網地１０２、１０３より強く形成するようにしている。
これは、網地のネット１０に凍った雪が付着し、雪の荷重がかっても、網地のネット１０の内、吊りロープ３に係止する最上段部の網地１０１の耐クリープ性を最上段部の網地１０１を除く他の段部の網地１０２，１０３より強く構成して、クリープ変形を抑制し、最上段部の網地１０１の切断を防止し、耐久性に優れた防獣ネットＮを提供するためである。
なお、強く形成する手段としては、上述したように、最上段部の網地１０１を、エステル結合又はアミド結合又は側鎖を持ったポリオレフィン結合を有した化学繊維で形成し、最下段部の網地１０２、中間部の編地１０３を、ポリエチレンを複数撚り合わせたもので形成するが、それ以外の手段としては、例えば、素材自体を強いもので構成しても良いし、同じ素材でも寄り合わせる素材の数を多くしたり、同じ素材でも径の太さを大きくすること等である。
【００１４】
上述した実施例の防獣ネットＮは、吊りロープ３の頂部を最上段部の網地１０１に、下部ロープ４の谷部を最下段部の網地１０２にそれぞれ係止するようにしたが、本願考案にあっては、これに限らず、中間部の編地１０３を第１の柱１と第２の支柱２とで支持された中間ロープ９に紐、番線等の結束部材Ｋにより係止させるようにしても良い。
【００１５】
即ち、防獣ネットＮは、上述した実施例と同様、第１の柱１と第２の支柱２とで支持された吊りロープ３に張られた網地のネット１０で、小動物、獣の侵入を防止するである。
そして、網地のネット１０は、上述した実施例と同様、最上段部の網地１０１、最下段部の網地１０２、最上段部の網地１０１から最下段部の網地１０２にかけて設けられた中間部の編地１０３を有している。
【００１６】
また、網地のネット１０の内、最下段部の網地１０２は下部ロープ４に係止し、中間部の編地１０３は第１の柱１と第２の支柱２とで支持された中間ロープ５に係止し、網地のネット１０の内、吊りロープ３に係止する最上段部の網地１０１の耐クリープ性を最上段部の網地１０１を除く他の段部の網地１０２、１０３より強くする。
【００１７】
従って、上述した防獣ネットＮによれば、網地のネット１０に凍った雪が付着し、雪の荷重がかっても、網地のネット１０の内、吊りロープ３に係止する最上段部の網地１０１の耐クリープ性を最上段部の網地１０１を除く他の段部の網地１０２、１０３より強く構成しているため、クリープ変形を抑制し、最上段部の網地１０１の切断が防止され、耐久性に優れた防獣ネットＮを提供するができ、また、網地のネット１０の内、最上段部の網地１０１と最下段部の網地１０２のとの間に位置する網地１０３に係止される中間ロープ５を有しているため、中間ロープ５より下の網地のネットに付着した凍った雪の荷重を中間ロープ５で受けることができ、その分、最上段部の網地１０１への荷重の負担を軽減化することができ、耐久性に優れた防獣ネットＮを提供するができる。
【００１８】
上述した実施例(図１及び図２)においては、吊りロープ３を網地のネット１０を構成する最上部の縁部材で兼用したが、本願考案にあっては、これに限らず、図３及び図４に示すように、吊りロープ（例えば、ワイヤー）３’を網地のネット１０を構成する最上部の縁部材３とは、別部材で構成するようにしても良い。
図３及び図４に示す９は、網地のネット１０を吊りロープ（例えば、ワイヤー）３’に結束するための紐、番線等の結束部材である。
【符号の説明】
【００１９】
Ｎ     防獣ネット
１     第１の柱
２     第２の支柱
３     吊りロープ
１０   網地のネット
１０１ 最上段部の網地
１０２ 最下段部の網地
１０３ 中間部の編地
【図１】
0003189844.tif 000003
【図２】
0003189844.tif 000004
【図３】
0003189844.tif 000005
【図４】
0003189844.tif 000006